(57)【特許請求の範囲】
【請求項１】
既存の壁や屋根のスレート板の表面を新規の外装材で被覆するための外装材葺替え用冶具であって、スレート板の表面に配設される複数の支持金具と、新規の外装材を支持するための支持面を有する外装下地材とで構成され、上記支持金具は略逆Ｕ字状に形成され、両側部がスレート板の凸部を跨いでその両側の凹部に配置される一対の脚部としてなり、上面部が外装下地材を支持するための下地材支持面としてなり、下地材支持面の略中央に形成された凹所の底面にスレート板の凸部から突出しているボルトの先部を挿入するための挿入孔と、挿入孔に挿入されたボルトの先部に係止させる係止片とを設け、上記外装下地材は、上記ボルトの先部を内側に収納するために下方に向って開口したＣ字状凸部と、Ｃ字状凸部の両下端にその開口の反対側に向かって突設されて上記下地材支持面に載置されるフランジ部とを備えて成ることを特徴とする外装材葺替え用冶具。
【請求項２】
係止片を設けた係止部材を下地材支持面に移動自在に載置して成ることを特徴とする請求項１に記載の外装材葺替え用冶具。
【請求項３】
請求項１又は２に記載の外装材葺替え用冶具を用いて既存の壁や屋根のスレート板の表面を新規の外装材で被覆するための外装材葺替え構造において、支持金具をスレート板の表面の複数箇所に配置し、スレート板の凸部から突出しているボルトの先部を挿入孔に挿入すると共に挿入孔に挿入されたボルトの先部に係止片を係止することによって支持金具をボルトに固定し、上記ボルトの先部を外装下地材のＣ字状凸部の内側に収納すると共に外装下地材のフランジ部を上記下地材支持面に載置するようにして下地材支持面に新規の外装下地材を固着し、この外装下地材の支持面に新規の外装材を固着して成ることを特徴とする外装材葺替え構造。
【発明の詳細な説明】
【０００１】
【発明の属する技術分野】
本発明は、屋根とか壁のリフォームに用いられる外装材葺替え用冶具及び外装材葺替え構造に関するものである。
【０００２】
【従来の技術】
建築分野において、石綿を含むスレート板は、耐火性、耐水性、耐久性に優れているとの理由から、屋根材或いは壁材として広く使用されているが、建築後かなりの年数が経過して例えば屋根材のリフォームが必要となった場合は、スレート板の上から新規のカバールーフを被覆し、ドリルビスをカバールーフからスレート板に打入することで、カバールーフを石綿スレート板に固着することが一般に行われている。
【０００３】
しかしながら、ドリルビスが老巧化しているスレート板に貫通すると、鉄骨の切り粉及びスレート板の切り粉や破片が落下して作業環境の悪化を招くという問題がある。特に、スレート板の場合には、人体に害を及ぼす石綿（アスベスト）を含んだ切り粉が落下する危険性がある。しかも、従来ではドリルビスをスレート板を貫通し、既存の母屋まで打ち込む必要があるために、ドリルビスの打入作業に非常に手間がかかり、葺替えの作業効率が悪いという問題もある。さらに、スレート板の上には、このスレート板を固定している既存のボルトの先端部が突出しており、新規のカバールーフを固着する際に、既存のボルトの不要な先端部分を切断により除去する必要があり、既存のボルトの数が多いためにその切断作業に非常に手間と時間がかかるという問題もあった。
【０００４】
そこで、従来、特開平１０−２１９９３６号公報には、スレート板の上側（表面）に突出している既存のボルトの先端部に螺合された締結ナットとスレート板との間にパッキンを介在させると共に、スレート板の上面とパッキンとの隙間に断面三角形状をしたクランプ金具の底面部を挿入して取り付け、その後、新規のカバールーフの凸部をクランプ金具の頂部に載置して上からドリルビスをクランプ金具に向けて打入することによって、新規のカバールーフをクランプ金具を介して既存のスレート板上に固定するようにした葺替工法が開示されている。
【０００５】
【発明が解決しようとする課題】
ところが、一般にスレート板の上方に突出している既存のボルトは、真っ直ぐ上に向かずに、傾いていたり或いは歪んでいたりする場合があり、このような場合、上記公報のようなクランプ金具を用いる工法にあっては、クランプ金具がスレート板の凸部から傾いて取り付けられてしまう場合が多くなり、この場合、新規のカバールーフをクランプ金具に取り付け不能になるおそれがあり、このため従来ではスレート板から既存のボルトを一旦引き抜いて打ち直す必要があり、作業に多大な手間がかかるという問題があった。
【０００６】
また、既存のボルトは風雨等に曝されているために腐食している場合が多く、このために、締結ナットが既存のボルトに螺合できずにクランプ金具を既存のボルトに固定することができないことがあり、この場合も新規のカバールーフをクランプ金具に取り付け不能になるおそれがあった。
【０００７】
本発明は上記の点に鑑みてなされたものであり、既存のボルトに傾きや歪みや腐食等がある場合でも、既存のボルトを利用して新規の外装材を既存の外装材の表面に容易に取り付けることができ、屋根或いは壁のリフォームを簡易かつ外観良く確実に行うことができる外装材葺替え用冶具及び外装材葺替え構造を提供することを目的とするものである。
【０００８】
【課題を解決するための手段】
本発明の請求項１に係る外装材葺替え用冶具は、既存の壁や屋根のスレート板１の表面を新規の外装材２で被覆するための外装材葺替え用冶具であって、スレート板１の表面に配設される複数の支持金具４と、新規の外装材２を支持するための支持面６を有する外装下地材５とで構成され、上記支持金具４は略逆Ｕ字状に形成され、両側部がスレート板１の凸部８を跨いでその両側の凹部７に配置される一対の脚部１０としてなり、上面部が外装下地材５を支持するための下地材支持面３１としてなり、下地材支持面３１の略中央に形成された凹所１７の底面にスレート板１の凸部８から突出しているボルト９の先部９ａを挿入するための挿入孔２５と、挿入孔２５に挿入されたボルト９の先部９ａに係止させる係止片２６とを設け、上記外装下地材５は、上記ボルト９の先部９ａを内側に収納するために下方に向って開口したＣ字状凸部５ａと、Ｃ字状凸部５ａの両下端にその開口の反対側に向かって突設されて上記下地材支持面３１に載置されるフランジ部５ｂとを備えて成ることを特徴とするものであり、支持金具４の挿入孔２５にボルト９の先部９ａを挿入すると共に挿入孔２５に挿入されたボルト９の先部９ａに係止片２６を係止することによって、スレート板１を固定する既存のボルト９に対して支持金具４をワンタッチで簡単に係止させて固定することができると共に、既存のボルト９の傾きや歪みによって仮りに支持金具４が傾いて取り付けられても、複数の支持金具４の各下地材支持面３１上に亘って外装下地材５を固着することで、支持金具４の傾きを外装下地材５にて矯正できるようになり、これにより外装下地材５に新規の外装材２を安定良く、且つスレート板１の凸部８と新規の外装材２の凸部３０とを揃えた状態で外観良く配設できるようになる。また、支持金具４をボルト９に固定する際にボルト９にナットを螺合しないので、ボルト９が腐食していても支持金具４をボルト９に対して取り付け可能となり、既存のボルト９を取り替える必要がないものである。
【０００９】
また、本発明の請求項２に係る外装材葺替え用冶具は、請求項１に加えて、係止片２６を設けた係止部材４０を下地材支持面３１に移動自在に載置して成ることを特徴とするものであり、ボルト９の傾きに対応して係止部材４０を移動させて係止片２６の位置調整を行うことができ、ボルト９が傾いていても係止片２６をボルト９の先部９ａに係止させやすくなるものである。
【００１０】
また、本発明の請求項３に係る外装材葺替え構造は、請求項１又は２に記載の外装材葺替え用冶具３を用いて既存の壁や屋根のスレート板１の表面を新規の外装材２で被覆するための外装材葺替え構造において、支持金具４をスレート板１の表面の複数箇所に配置し、スレート板１の凸部８から突出しているボルト９の先部９ａを挿入孔２５に挿入すると共に挿入孔２５に挿入されたボルト９の先部９ａに係止片２６を係止することによって支持金具４をボルト９に固定し、上記ボルト９の先部９ａを外装下地材５のＣ字状凸部５ａの内側に収納すると共に外装下地材５のフランジ部５ｂを上記下地材支持面３１に載置するようにして下地材支持面３１に新規の外装下地材５を固着し、この外装下地材５の支持面６に新規の外装材２を固着して成ることを特徴とするものであり、支持金具４の挿入孔２５にボルト９の先部９ａを挿入すると共に挿入孔２５に挿入されたボルト９の先部９ａに係止片２６を係止することによって、スレート板１を固定する既存のボルト９に対して支持金具４をワンタッチで簡単に係止させて固定することができると共に、既存のボルト９の傾きや歪みによって仮りに支持金具４が傾いて取り付けられても、複数の支持金具４の各下地材支持面３１上に亘って外装下地材５を固着することで、支持金具４の傾きを外装下地材５にて矯正できるようになり、これにより外装下地材５に新規の外装材２を安定良く、且つスレート板１の凸部８と新規の外装材２の凸部３０とを揃えた状態で外観良く配設できるようになる。また、支持金具４をボルト９に固定する際にボルト９にナットを螺合しないので、ボルト９が腐食していても支持金具４をボルト９に対して取り付け可能となり、既存のボルト９を取り替える必要がないものである。
【００１１】
【発明の実施の形態】
以下、本発明を添付図面に示す実施の形態に基づいて説明する。
【００１２】
この実施の形態では既存の屋根のリフォームについて説明するが、これに限定されるものではない。この屋根には既存の外装材としては波板状のスレート板１が葺設されている。スレート板１は図２、３に示すように、フックボルトのようなボルト９を用いて家屋の母屋２１に固着されている。母屋２１は既存の外装材下地材であって、例えば、Ｃ型鋼から形成されており、スレート板１の凸部８から打入されたボルト９の下端部９ｂが固定されている。また、このボルト９はスレート板１を固定している既存のボルトであって、既存のボルト９の先部９ａはスレート板１の凸部８を貫通してスレート板１の上側に突出しており、この突出した先部９ａにパッキン１３とナット座金１４とがこの順に嵌め込まれ、最後に既存の締付ナット１５が螺合されている。
【００１３】
本発明の外装材葺替え用冶具３は、例えば、厚み１．５〜２．０ｍｍ程度のステンレス鋼板や亜鉛めっき鋼板から形成されるものであり、図１に示すように、既存の外装材１上に載設される複数の支持金具４と、複数の係止部材４０と、各支持金具４の上面に載置される長尺の新規の外装下地材５とを備えて構成されている。
【００１４】
上記支持金具４は断面略逆Ｕ字状に形成されており、図４（ａ）乃至（ｃ）に示すように、上面部が矩形状の下地材支持面３１として形成されると共に両側部が脚部１０として形成されている。すなわち、新規の外装下地材５を支持するための下地材支持面３１の両端から下方に向けて拡開した形状をして左右一対の脚部１０が下地材支持面３１に一体形成されている。そして、脚部１０はスレート板１の１つの凸部８を跨いでその両側の凹部７に載置されるものであり、この実施の形態では各脚部１０の下端部１０ａは凹部７に沿って湾曲しており、凹部７の上面に沿って安定良く載置されるようになっている。
【００１５】
また、支持金具４の下地材支持面３１の略中央には凹所１７が設けられていると共に平面視で略長孔の挿入孔２５が凹所１７の底面を貫通するように形成されている。下地材支持面３１に設けたこの挿入孔２５はボルト９の直径よりも充分に大きく形成されている。また、上記下地材支持面３１の凹所１７以外の箇所は、新規の外装下地材５を載置するための載置部２７として形成されている。外装下地材５は、下方に開口したＣ字状凸部５ａの両端からフランジ部５ｂがそれぞれ突出したＣ型チャンネルで構成されており、スレート板１上の複数箇所に配置された支持金具４の各下地材支持面３１の載置部２７上に載置されて支持された状態で、スレート板１の凸部８の長手方向と直交する方向に向けて配置されるものである。ここでは、Ｃ字状凸部５ａの内側に既存のボルト９の先部９ａを収納した状態で、両端のフランジ部５ｂを載置部２７上にそれぞれ載置し、載置部２７の２箇所で各フランジ部５ｂがビスやリベットなどの固定具にて固着されるようになっている。
【００１６】
係止部材４０は略板状に形成されるものであって、その略中央部に一対の係止片２６が切り起こし加工により上方に突出して形成されている。この一対の係止片２６は互いに対向し、且つ一対の係止片２６の先端（上端）が互いに近づくように各係止片２６は傾斜して形成されており、一対の係止片２６の対向する先端（上端）間には間隙２８が形成されている。この間隙２８の寸法は上記の既存のボルト９の先部９ａの直径よりもやや小さめに形成されている。
【００１７】
上記新規の外装下地材５は、スレート板１の凸部８の長手方向に所定間隔を隔てた複数箇所に設置されるものであり、各外装下地材５のＣ字状凸部５ａの上面は、新規の外装材２を支持するための支持面６として形成されている。
【００１８】
新規の外装材２はカバールーフなどと称されるものであって、図２のものではフラット部３２と凸部３０とが交互に連続形成された波形の金属単板で構成されているが、その形状は波形には限定されないものであり、また、金属単板に限定されるものでもなく、例えば上下二枚の金属外皮間に断熱材を充填したサンドイッチパネル等であってもよいものである。
【００１９】
そして、上記構成の外装材葺替え用冶具３を用いて既存の屋根のスレート板１上に新規の外装材２を被覆するにあたっては、次のようにして行う。まず、スレート板１の表面（上面）から突出している既存のボルト９に上方から支持金具４を近づけ、支持金具４を徐々に下方に移動させていくことによって、支持金具４の挿入孔２５に下側からボルト９の先部９ａを挿入（被挿）する。このようにしてスレート板１の凸部８の表面から突出している複数の既存のボルト９のそれぞれに支持金具４を装着することにより、スレート板１の１つの凸部８を跨ぐように支持金具４をスレート板１の表面の複数箇所に配置する。
【００２０】
次に、支持金具４を装着したボルト９に係止部材４０を装着して支持金具４を係止部材４０で上側から押えて固定する。係止部材４０をボルト９に装着するにあたっては、係止部材４０の一対の係止片２６を互いに離れる方向に弾性的に変形させながらその先端間の間隙２８にボルト９の先部９ａを挿入（被挿）する。このように間隙２８にボルト９の先部９ａを挿入すると、ボルト９の先部９ａのネジ溝に一対の係止片２６の先端が入り込むことによりボルト９の先部９ａに係止片２６が弾性的に係止されることになり、これにより、一対の係止片２６でボルト９の先部９ａを挟持して係止部材４０を上側に移動しないように装着することができる。また、間隙２８がボルト９の直径よりもやや小さく形成されていて係止部材４０がボルト９に装着しにくい場合は、係止部材４０を金づち等の打入具で打ち付けてボルト９に打入する。また、係止部材４０は支持金具４の凹所１７の底面に当接するまでボルト９に挿入することにより、係止部材４０を下地材支持面３１に載置して設けることができると共に係止片２６を下地材支持面３１に設けることができる。また、ボルト９への係止片２６の係止により係止部材４０を上動不能に固定すると共にこの係止部材４０で支持金具４を上側から押さえつけることによって、支持金具４をボルト９に固定することができる。
【００２１】
そして、上記のように支持金具４と係止部材４０を別体に形成し、ボルト９及び下地材支持面３１に対して係止部材４０を移動自在に形成するので、支持金具４と係止部材４０とを別々にボルト９に取り付けることによって、ボルト９が傾いていてもその傾きに対応して係止部材４０を移動させながら係止部材４０及び係止片２６の位置調整を行うことができ、係止片２６をボルト９の先部９ａに係止させやすくなるものであり、係止部材４０の取り付け作業が行いやすくなるものである。
【００２２】
上記のようにして支持金具４をスレート板１の表面に固定した後、図５に示すように、新規の外装下地材５のＣ字状凸部５ａの内側にボルト９の先部９ａ全体を収納するようにして、外装下地材５のフランジ部５ｂを支持金具４の下地材支持面３１の載置部２７上に載置し、外装下地材５のフランジ部５ｂを載置部２７に固定具にて固着する。このようにして複数の支持金具４に亘るように外装下地材５を架設した後、この外装下地材５のＣ字状凸部５ａの支持面６上に新規の外装材２を載置し、図２に示すように、ボルト９から外れた位置で新規の外装材２の凸部３０の上方からドリルビス２０を打入して、ドリルビス２０の先端を新規の外装下地材５のＣ字状凸部５ａの上面部に打ち込む。これにより、ドリルビス２０と既存のボルト９とが互いに接触することなく、新規の外装材２を新規の外装下地材５に対して確実に固定できるようになり、この結果、新規の外装下地材５と支持金具４とからなる外装材葺替え用冶具３を用いて、新規の外装材２をスレート板１上に簡単に施工できるようになる。尚、ドリルビス２０を打入する位置はボルト９から外れた位置でなくても良く、ボルト９の上方位置においてドリルビス２０を打入してもよい。
【００２３】
上記のように本発明では、支持金具４の下地材支持面３１に設けた挿入孔２５及び一対の係止片２６の間の間隙２８に既存のボルト９の先部９ａを差し込むだけで、係止片２６をボルト９の先部９ａに対してワンタッチで係止させて支持金具４をボルト９に固定することができるが、この時、既存の締付ナット１５を緩めたり新たなナットを締めたりする必要がないので、ボルト９が腐食していて既存の締付ナット１５や新たなナットが回らない場合でも、支持金具４をボルト９に容易に固定することができるものである。また、挿入孔２５及び間隙２８は支持金具４の下地材支持面３１の略中心に位置しているので、挿入孔２５及び間隙２８にボルト９の先部９ａを押し込むだけで、支持金具４を正確に配置できるものである。
【００２４】
また、支持金具４の下地材支持面３１は既存のボルト９に対して傾動可能となるので、仮りに既存のボルト９に傾きや歪みがあって支持金具４が傾いて取り付けられても、複数の支持金具４の各載置部２７上に亘って新規の外装下地材５を載置することで支持金具４をボルト９に対して傾動させて支持金具４の傾きを矯正することができ、新規の外装下地材５上に外装材２を安定良く、しかも、スレート板１の凸部８と新規の外装材２の凸部３０とを揃えた状態で外観良く施工できるようになる。
【００２５】
しかも、支持金具４と新規の外装下地材５とからなる外装材葺替え用冶具３は、新規の外装材２によって上から覆われるので、屋根の外観が外装材葺替え用冶具３で損なわれるようなこともない。そのうえ、新規の外装材２を外装材葺替え用冶具３を介して既存の外装材１の既存のボルト９に対して固着できるので、老巧化した既存の外装材１を傷めることなく且つ切り粉が落下するのを防止しながら、新規の外装材２をスレート板１上に強固に取付けることができる。つまり、新規の外装材２の上からドリルビス２０を打ち込む際には、ドリルビス２０は老巧化したスレート板１には打入されないことから、老巧化したスレート板１に大きな打撃力がかからず、スレート板１に割れやクラックが発生するのを十分に防止できるものであり、特に、人体の害となる石綿を含んだ切り粉が落下する危険性がなく、作業環境面で良好となる。
【００２６】
上記の実施の形態では支持金具４と係止部材４０を別体に形成してそれぞれを別々にボルト９に取り付けるようにしたが、支持金具４に係止部材４０を一体的に形成して両方を一緒にボルト９に取り付けるようにしても良い。図６、７には上記と同様に形成される支持金具４と係止部材４０とを一体的に形成したものが示してあって、凹所１７の底面に係止部材４０がリベット等の固定具４１で固定して設けられている。係止部材４０の一対の係止片２６は互いに対向して挿入孔２５の上側に配置されている。また、挿入孔２５の略中央部の上方において一対の係止片２６の対向する先端（上端）間には間隙２８が形成されている。このようにして下地材支持面３１には挿入孔２５と係止片２６が設けられている。尚、この実施の形態の支持金具４の挿入孔２５は、図４に示す上記実施の形態の支持金具４の挿入孔２５よりも小さめに形成されている。
【００２７】
このように係止部材４０を一体的に設けた支持金具４は次のようにして施工することができる。まず、スレート板１の表面（上面）から突出している既存のボルト９に上方から支持金具４を近づけ、支持金具４を徐々に下方に移動させていくことによって、支持金具４の挿入孔２５に下側からボルト９の先部９ａを挿入（被挿）すると共に係止部材４０の一対の係止片２６を互いに離れる方向に弾性的に変形させながら、挿入孔２５の上側に突出したボルト９の先部９ａを間隙２８に下側から挿入（被挿）する。このように間隙２８にボルト９の先部９ａを挿入すると、ボルト９の先部９ａのネジ溝に一対の係止片２６の先端が入り込むことによりボルト９の先部９ａに係止片２６が弾性的に係止されることになり、これにより、一対の係止片２６でボルト９の先部９ａを挟持して係止部材４０及び支持金具４を上側に移動しないようにボルト９に装着することができる。このようにしてスレート板１の凸部８の表面から突出している複数の既存のボルト９のそれぞれに支持金具４を装着することにより、スレート板１の１つの凸部８を跨ぐように支持金具４をスレート板１の表面の複数箇所に配置して固定する。
【００２８】
そして、このようにして支持金具４をスレート板１の表面に固定した後は上記の実施の形態と同様にして新規の外装材２を施工することができるものである。この実施の形態ではボルト９が傾いていない場合に好適に用いることができ、支持金具４と係止部材４０を一体的に形成するので、両方を一緒にボルト９に取り付けることができ、上記の実施の形態に比べて作業性が向上して施工の効率を高めることができるものである。
【００２９】
上記のいずれの実施の形態においてもスレート屋根のリフォームを説明したが、既存の壁であるスレート壁のリフォームも可能である。つまり、本発明の外装材葺替え用冶具３を構成する支持金具４と、新規の外装下地材５となる胴縁と、カバーウォール等の新規の外装材２とを準備し、まず、既存のスレート壁の外装材（スレート壁材）の表面から突出している既存のボルト９の先部９ａに本発明の支持金具４の挿入孔２５を差し込むと共にこのボルト９の先部９ａに係止片２６を弾性的に係止することによって支持金具４をボルト９に取り付け、新規の外装下地材５（胴縁）を支持金具４の載置部２７にビス等で固着した後、新規の外装材２（カバーウォール）を新規の外装下地材５の支持面６にビス等で固着する。これにより、既存のボルト９を取り替えることなく、スレート壁のリフォームを簡易且つ確実に、しかも、外観良く行えるものである。
【００３０】
また本発明の外装材葺替え用冶具３は、一般住宅だけでなく、工場とか体育館などの大型建物における各種のリフォームに広く適用可能である。
【００３１】
【発明の効果】
上記のように本発明の請求項１の発明は、既存の壁や屋根のスレート板の表面を新規の外装材で被覆するための外装材葺替え用冶具であって、スレート板の表面に配設される複数の支持金具と、新規の外装材を支持するための支持面を有する外装下地材とで構成され、上記支持金具は略逆Ｕ字状に形成され、両側部がスレート板の凸部を跨いでその両側の凹部に配置される一対の脚部としてなり、上面部が外装下地材を支持するための下地材支持面としてなり、下地材支持面の略中央に形成された凹所の底面にスレート板の凸部から突出しているボルトの先部を挿入するための挿入孔と、挿入孔に挿入されたボルトの先部に係止させる係止片とを設け、上記外装下地材は、上記ボルトの先部を内側に収納するために下方に向って開口したＣ字状凸部と、Ｃ字状凸部の両下端にその開口の反対側に向かって突設されて上記下地材支持面に載置されるフランジ部とを備えて成ることを特徴とするものであり、支持金具の挿入孔にボルトの先部を挿入すると共に挿入孔に挿入されたボルトの先部に係止片を係止することによって、スレート板を固定する既存のボルトに対して支持金具をワンタッチで簡単に係止させて固定することができると共に、既存のボルトの傾きや歪みによって仮りに支持金具が傾いて取り付けられても、複数の支持金具の各下地材支持面上に亘って外装下地材を固着することで、支持金具の傾きを外装下地材にて矯正できるようになり、これにより外装下地材に新規の外装材を安定良く、且つスレート板の凸部と新規の外装材の凸部とを揃えた状態で外観良く配設できるようになる。また、支持金具をボルトに固定する際にボルトにナットを螺合しないので、ボルトが腐食していても支持金具をボルトに対して取り付け可能となり、既存のボルトを取り替える必要がないものである。
【００３２】
また、本発明の請求項２の発明は、係止片を設けた係止部材を下地材支持面に移動自在に載置して成ることを特徴とするものであり、ボルトの傾きに対応して係止部材を移動させて係止片の位置調整を行うことができ、ボルトが傾いていても係止片をボルトの先部に係止させやすくなるものであり、ボルトが傾いていても施工が行いやすくて支持金具を強固に固定することができるものである。
【００３３】
また、本発明の請求項３の発明は、請求項１又は２に記載の外装材葺替え用冶具を用いて既存の壁や屋根のスレート板の表面を新規の外装材で被覆するための外装材葺替え構造において、支持金具をスレート板の表面の複数箇所に配置し、スレート板の凸部から突出しているボルトの先部を挿入孔に挿入すると共に挿入孔に挿入されたボルトの先部に係止片を係止することによって支持金具をボルトに固定し、上記ボルトの先部を外装下地材のＣ字状凸部の内側に収納すると共に外装下地材のフランジ部を上記下地材支持面に載置するようにして下地材支持面に新規の外装下地材を固着し、この外装下地材の支持面に新規の外装材を固着して成ることを特徴とするものであり、支持金具の挿入孔にボルトの先部を挿入すると共に挿入孔に挿入されたボルトの先部に係止片を係止することによって、スレート板を固定する既存のボルトに対して支持金具をワンタッチで簡単に係止させて固定することができると共に、既存のボルトの傾きや歪みによって仮りに支持金具が傾いて取り付けられても、複数の支持金具の各下地材支持面上に亘って外装下地材を固着することで、支持金具の傾きを外装下地材にて矯正できるようになり、これにより外装下地材に新規の外装材を安定良く、且つスレート板の凸部と新規の外装材の凸部とを揃えた状態で外観良く配設できるようになる。また、支持金具をボルトに固定する際にボルトにナットを螺合しないので、ボルトが腐食していても支持金具をボルトに対して取り付け可能となり、既存のボルトを取り替える必要がないものである。
【図面の簡単な説明】
【図１】本発明の外装材葺替え用冶具の実施の形態の一例を示す斜視図である。
【図２】本発明の外装材葺替え構造の実施の形態の一例を示す正面図である。
【図３】同上の一部を示す正面図である。
【図４】同上の支持金具と係止部材の一例を示し、（ａ）は平面図、（ｂ）は正面図、（ｃ）は側面図である。
【図５】同上の外装材葺替え用冶具の実施の形態の一例を示す断面図である。
【図６】同上の他の実施の形態の一例を示す斜視図である。
【図７】同上の支持金具と係止部材の他例を示し、（ａ）は平面図、（ｂ）は正面図、（ｃ）は側面図である。
【符号の説明】
１  スレート板
２  外装材
３  外装材葺替え用冶具
４  支持金具
５  外装下地材
５ａ  Ｃ字状凸部
５ｂ  フランジ部
６  支持面
７  凹部
８  凸部
９  ボルト
９ａ  先部
１０  脚部
１７  凹所
２５  挿入孔
２６  係止片
３１  下地材支持面
４０  係止部材
【図１】
0003809100.tif 000002
【図２】
0003809100.tif 000003
【図３】
0003809100.tif 000004
【図４】
0003809100.tif 000005
【図５】
0003809100.tif 000006
【図６】
0003809100.tif 000007
【図７】
0003809100.tif 000008